【事件の表示】
　特願２００３−　９７３８３「ガス警報器」拒絶査定不服審判事件〔平成１６年　８月２６日出願公開、特開２００４−２４０９４１〕について、次のとおり審決する。
【結　論】
　本件審判の請求は、成り立たない。
【理　由】
１．手続の経緯
　本願は、平成１５年３月３１日（国内優先権主張　平成１４年１２月１３日）の出願であって、平成１８年１０月２３日付で拒絶査定がなされ、これに対し、同年１１月３０日に拒絶査定に対する審判請求がなされるとともに、同年１２月２７日に明細書についての補正がなされたものである。
　
２．平成１８年１２月２７日付の手続補正書による補正（以下「本件補正」という。）についての補正却下の決定
［補正却下の決定の結論］
　　本件補正を却下する。
［理由］
（１）補正後の本願の発明
　本件補正により、特許請求の範囲の請求項１は、
　「ガスセンサで検出されたガス濃度が所定の１段目警報濃度または該１段目警報濃度より高く設定された２段目警報濃度以上となった際に、ガス濃度が異常となった旨の警報を報知する
、ブザーおよびＬＥＤを含む警報手段を有する
　通常動作モードと点検動作モードを切り換え制御する動作モード制御手段であって、ガス濃度の検出期間中所定のタイミングで前記ガスセンサでガス濃度を検出し、通常動作モード時には、検出されたガス濃度が２段目警報濃度以上となった際に、ガス濃度が異常となった旨の警報を
前記警報手段の前記ブザーの警報音および前記ＬＥＤの点灯で
検出されたガス濃度が１段目警報濃度以上となった際に、ガス濃度が１段目警報濃度を超えて異常となった旨の警報を前記ＬＥＤの点滅で開始し、
２段目警報濃度を超えて
前記ブザーの警報音および前記ＬＥＤの点滅から点灯への切り替えで
前記ブザーの警報音を停止しかつ前記ＬＥＤを消灯させることにより
　ことを特徴とするガス警報器。」
と補正された。
　上記補正は、請求項１に記載した発明を特定するために必要な事項である「ガス警報器」について「ブザーおよびＬＥＤを含む警報手段を有する」ものであって「警報手段のブザーの警報音およびＬＥＤの点灯」で報知するとの限定を付加するとともに、「点検動作モード時」の報知動作に関して「検出されたガス濃度が１段目警報濃度以上となった際に、ガス濃度が１段目警報濃度を超えて異常となった旨の警報をＬＥＤの点滅で開始し」、ガス濃度が２段目警報濃度以上となった際に、ガス濃度が「２段目警報濃度を超えて」異常となった旨の警報を「ブザーの警報音およびＬＥＤの点滅から点灯への切り替えで」開始し、その後、ガス濃度が２段目警報濃度以下となった時に「ブザーの警報音を停止しかつＬＥＤを消灯させることにより」警報を停止するものとの限定を付加するものであって、平成１８年改正前特許法第１７条の２第４項第２号の特許請求の範囲の減縮を目的とするものに該当する。
　そこで、本件補正後の前記請求項１に記載された発明（以下「本件補正発明」という。）が特許出願の際独立して特許を受けることができるものであるか（平成１８年改正前特許法第１７条の２第５項において準用する特許法第１２６条第５項の規定に適合するか）について以下に検討する。
　
（２）引用文献
（２−１）原査定の拒絶の理由に引用された特開２００２−２６９６５７号公報（以下「引用文献１」という。）には、「ガス警報器とその点検機構」に関し、図面と共に次の事項が記載されている。
・「【請求項２】　被検知ガスの存在を検知した検知出力が、所定出力の警報レベルを超えたときに警報動作する警報機構を備えるとともに、被検知ガスの存在を検知した検知出力が、前記所定出力よりも低い予備警報出力の予備警報レベルを超えたときに予備警報動作する予備警報機構を備えたガス警報器の点検機構であって、
前記検知出力が、通常のガス検知を行う際の前記所定出力よりも低い点検出力を超えたとき、前記警報機構に警報動作を行わせる警報点検レベルを設定するとともに、前記ガス検知出力が、前記点検出力よりも低くかつ予備警報出力よりも低い予備警報点検出力を超えたとき、前記予備警報機構に予備警報動作させる予備警報点検レベルを設定する点検機構。
【請求項３】　前記検知出力が前記警報点検レベルを超えたのを検知した後、前記検知出力が前記警報点検レベルを下回ったとき、前記警報動作を停止させる請求項１に記載の点検機構。」
・「【請求項８】　電源投入後、第一の所定時間経過後に点検機構を作動するとともに、第二の所定時間経過後に点検機構を作動停止する制御部を備えた請求項５〜７のいずれかに記載のガス警報器。」
・「【００１２】また、前記検知出力が予備警報点検レベルを超えたとき、前記予備警報点検レベルを予備警報出力に設定する予備警報点検用出力のレベル再設定機構を備えていれば、点検開始から予備警報動作をはじめるまでに必要な検知出力は、予備警報点検出力であるのに対して、前記予備警報動作の警報停止機構が働くのは、予備警報出力であるから、その予備警報出力から予備警報点検出力にまで出力が低下するのを待つことなく警報停止機構が働くことになり、迅速に点検を終了させることができる（請求項５に対応）。尚、同様に、検知出力が警報点検出力を超えたときに前記警報点検レベルを所定出力に再設定することもできる。ただし、この場合は、点検用ガス濃度が警報レベルに達しなかった場合、警報停止機構が即座に働き、検知出力に基づいて警報動作の停止が行われたのであるか否かを判別しにくいという問題があるため、別途、検知出力が一旦所定出力を超えたことを確認する手段を設けることが望ましい。」
・「【００１５】
【発明の実施の形態】以下に本発明の実施の形態を図面に基づいて説明する。図１に示すように、本発明のガス警報器は、白金、パラジウム、白金ロジウム合金等の貴金属線コイル１上に酸化スズ半導体などの金属酸化物半導体を焼結してなる感応層２を形成したいわゆる熱線型半導体式ガス検知素子３を、図２に示すようにブリッジ回路４等に組み込むとともに、制御部５に設けられる検出機構１１により、そのブリッジ電圧を被検知ガスの検知出力として得て、制御部５に設けられる警報機構１２及び予備警報機構１３により、警報ブザーや警報ランプ等の警報装置６に警報を出力可能に構成している。
【００１６】前記制御部５は、前記ブリッジ電圧を得て被検知ガスのガス濃度に対応した検知出力として受け渡す検出機構１１を備えるとともに、通常のガス検知動作時には前記検出機構１１からの検知出力に従って、前記警報装置６を警報動作させる警報機構１２及び予備警報機構１３を備える。これにより、通常のガス検知動作時には、前記感応層２に被検知ガスが到達すると、その被検知ガスが酸化、還元反応等を受け、前記感応層２に電子の授受が生じるために、その感応層２の見かけの抵抗値が変化し、合成抵抗としての前記ガス検知素子全体の抵抗値も変化するために、その抵抗値の変化が検知出力として捉えられる。この検知出力の大きさは被検知ガスの濃度に依存するから、この検知出力を基に被検知ガスの濃度を判定し、警報出力を発するかどうかなどを制御することが出来る。」
・「【００２１】……また、タイマ７による制御で、電源投入後１０秒間隔で前記ガス検知素子３にパルス的に通電し、被検知ガスを検知する検知出力としてブリッジ電圧を得る。この検知出力の検知毎に前記制御部５が前記警報機構１２等の動作制御を行うように構成してある。また、予備警報動作として、通常時は点灯して通電状態を示す緑のＬＥＤを点滅させるとともに、警報動作として、通常時は消灯している赤のＬＥＤを点灯させるとともに、警報ブザーから警報音を鳴動させる構成としてある。これら、ＬＥＤや警報ブザーを警報装置と総称する。」
・「【００２３】緑のＬＥＤが、点灯状態になるのを確認した点検作業者は、ガス警報器のガス検知素子３の部分に設けられた通気用開口もしくはスリットにガスライターから生ガスを点検用ガスとして供給する（図３中約４０秒時点）すると、前記ガス検知素子３近傍の被検知ガス濃度は約４５秒時点で、前記予備警報点検レベルにまで上昇する。さらに、被検知ガス濃度は上昇するが、５０秒時点で前記予備警報点検レベル以上、警報点検レベル以下であるので、緑のＬＥＤが点滅を開始し、予備警報点検動作を確認する。通常、この時点で点検作業者は生ガスの供給を停止する。また、このとき予備警報点検出力のレベル再設定機構により、前記検知出力が予備警報点検レベルを超えたとき、前記予備警報点検レベルを予備警報出力に設定する。
【００２４】さらに時間がたつと、供給された生ガスは次第にガス警報器内に浸入して、前記ガス検知素子３近傍の被検知ガス濃度はさらに上昇する。６０秒時点では、生ガスの存在を検知した検知出力が、所定出力を超えた状態になっているので、警報停止機構１８は前記警報機構１２に警報動作を行わせる。すると、警報ブザーが鳴動するとともに、赤ＬＥＤが点灯する。同時に予備警報としての緑のＬＥＤの点滅も停止する。
【００２５】その後、さらに時間が経過すると、ガス警報器内に浸入した生ガスは次第に拡散してガス警報器外に抜けるとともにガス警報器内における生ガス濃度は、次第に減少しはじめる（図３中約１００秒時点）。図中生ガス濃度は１２０秒時点で前記警報点検レベルを下回る。すると、前記点検機構１４は、前記警報機構１２の警報動作を停止させる。、同時に、ここでは、前記予備警報点検レベルは予備警報出力に設定されており、警報点検レベルと一致しているため、予備警報動作をとることもなく、通常動作に戻り緑ＬＥＤが点灯した状態になる。その後２４０秒時点には、点検機構１４が停止し、検知出力は、前記警報点検レベルに代えて警報レベルで、被検知ガスの警報動作を行える通常のガス検知を行うように設定が引き継がれる。その結果、ガス警報器の点検動作時の警報動作は約１分しか持続せず、点検作業が迅速に行えるようになったことが判る。」
　
　また、図３及び４には、電源ＯＮから３０秒を過ぎてから点検を開始すると共に電源ＯＮから２４０秒後に点検動作状態から通常状態に切り換わることが示されており、請求項８に記載された「電源投入後、第一の所定時間経過後に点検機構を作動するとともに、第二の所定時間経過後に点検機構を作動停止する制御部」が点検動作状態と通常状態を切り換え制御していることが窺われる。
　
　これらの記載事項及び図示内容を総合すると、引用文献１には、次の事項からなる発明（以下「引用発明」という。）が記載されているといえる。
「熱線型半導体式ガス検知素子で検出された被検知ガスの検知出力が予備警報点検出力または該予備警報点検出力より高く設定された所定出力を超えた際に、警報動作する、警報ブザーおよび赤と緑のＬＥＤを含む警報装置を有するガス警報器において、
　通常状態と点検動作状態を切り換え制御する制御部であって、電源投入後１０秒間隔でガス検知素子にパルス的に通電し、被検知ガスを検知する検知出力としてブリッジ電圧を得、通常状態では、検知出力が所定出力を超えた際に、警報動作を前記警報装置の前記警報ブザーの警報音および赤のＬＥＤの点灯で行うと共に、点検動作状態では、検知出力が予備警報点検出力を超えた際に、予備警報点検動作を前記緑のＬＥＤの点滅で開始し、検知出力が所定出力を超えた際に、検知出力が所定出力を超えた状態となったことの警報動作を前記ブザーの警報音および前記緑のＬＥＤの点滅から赤のＬＥＤの点灯への切り替えで開始し、かつその後検出された検知出力が所定出力を下回ると警報動作を停止する制御部を備えた
　ガス警報器。」
　
（２−２）同じく原査定の拒絶の理由に引用された特開２０００−２７６６７３号公報（以下「引用文献２」という。）には、「ガス検出装置及びガス検出方法」と題して図面と共に次の事項が記載されている。
・「【０００１】
【発明の属する技術分野】本発明は、不完全燃焼時の一酸化炭素（ＣＯ）や都市ガス漏れ時のメタン（ＣＨ４）等のガスを１つのガスセンサで検出し、ガス濃度が警報点濃度以上となったときにガス濃度が異常である旨の警報を警報音、警報ランプ、外部出力等で報知するガス検出装置及びガス検出方法に関し、特に、ＣＯ点検を簡易的に行える複合型ガス漏れ警報器を備えたガス検出装置に関する。」
　
　また、図１０には、外部出力として有電圧出力といえる、検出ガスの種類に応じた電圧の出力をガス検知の警報音の開始及び停止と共に開始及び停止することが示されている。
　
（３）対比
　本件補正発明と引用発明とを対比すると、後者の「熱線型半導体式ガス検知素子」はその機能・作用からみて、前者の「ガスセンサ」に相当し、以下同様に「被検知ガスの検知出力」は「ガス濃度」に、「予備警報点検出力」は「所定の１段目警報濃度」に、「所定出力を超えた」は「２段目警報濃度以上となった」に、「警報動作する」は「ガス濃度が異常となった旨の警報を報知する」に、「警報ブザー」は「ブザー」に、「赤と緑のＬＥＤ」は「ＬＥＤ」に、「警報装置」は「警報手段」に、「通常状態」は「通常動作モード」に、「点検動作状態」は「点検動作モード」に、「制御部」は「動作モード制御手段」に、「電源投入後１０秒間隔でガス検知素子にパルス的に通電し、被検知ガスを検知する検知出力としてブリッジ電圧を得」は「ガス濃度の検出期間中所定のタイミングでガスセンサでガス濃度を検出し」に、「通常状態では、検知出力が所定出力を超えた際に、警報動作を警報装置の警報ブザーの警報音および赤のＬＥＤの点灯で行う」は「通常動作モード時には、検出されたガス濃度が２段目警報濃度以上となった際に、ガス濃度が異常となった旨の警報を警報手段のブザーの警報音およびＬＥＤの点灯で報知する」に、「点検動作状態では」は「点検動作モード時には」に、「予備警報点検出力を超えた際」は「１段目警報濃度以上となった際」に、「予備警報点検動作を緑のＬＥＤの点滅で開始し」は「ガス濃度が所定の１段目警報濃度を超えて異常となった旨の警報をＬＥＤの点滅で開始し」に、「検知出力が所定出力を超えた状態となったことの警報動作」は「ガス濃度が２段目警報濃度を超えて異常となった旨の警報」に、「所定出力を下回ると」は「２段目警報濃度以下となった時に直ちに」に、それぞれ相当する。
　また、後者の「赤のＬＥＤ」及び「緑のＬＥＤ」と前者の「ＬＥＤ」とは、いずれも「ＬＥＤ」である点で共通し、後者の「緑のＬＥＤの点滅から赤のＬＥＤの点灯への切り替え」と前者の「ＬＥＤの点滅から点灯への切り替え」とは、「ＬＥＤの点滅からＬＥＤの点灯への切り替え」との概念で共通している。
　そして、後者の「警報動作」は、ブザーの警報音および赤のＬＥＤの点灯で行うものであるから、後者の「警報動作を停止する」は前者の「ブザーの警報音を停止しかつＬＥＤを消灯させることにより警報を停止する」に相当する。
　
　したがって両者は、
［一致点］
「ガスセンサで検出されたガス濃度が所定の１段目警報濃度または該１段目警報濃度より高く設定された２段目警報濃度以上となった際に、ガス濃度が異常となった旨の警報を報知する、ブザーおよびＬＥＤを含む警報手段を有するガス警報器において、
　通常動作モードと点検動作モードを切り換え制御する動作モード制御手段であって、ガス濃度の検出期間中所定のタイミングで前記ガスセンサでガス濃度を検出し、通常動作モード時には、検出されたガス濃度が２段目警報濃度以上となった際に、ガス濃度が異常となった旨の警報を前記警報手段の前記ブザーの警報音およびＬＥＤの点灯で報知すると共に、点検動作モード時には、検出されたガス濃度が１段目警報濃度以上となった際に、ガス濃度が１段目警報濃度を超えて異常となった旨の警報をＬＥＤの点滅で開始し、検出されたガス濃度が２段目警報濃度以上となった際に、ガス濃度が２段目警報濃度を超えて異常となった旨の警報を前記ブザーの警報音およびＬＥＤの点滅からＬＥＤの点灯への切り替えで開始し、かつその後検出されたガス濃度が２段目警報濃度以下となった時に直ちに前記ブザーの警報音を停止しかつ前記ＬＥＤを消灯させることにより警報を停止する動作モード制御手段を備えた
　ガス警報器。」である点で一致し、
［相違点］
（イ）「ＬＥＤ」に関して、本件補正発明では、１つのＬＥＤが「点滅」から「点灯」に切り換えられるのに対して、引用発明では、「赤と緑のＬＥＤ」を有すると共に、「緑のＬＥＤ」の「点滅」から、「赤のＬＥＤ」の「点灯」に切り換えられるものである点、及び
（ロ）本件補正発明では、ＬＥＤの点灯「と共に有電圧出力を開始」し、ＬＥＤの消灯「と共に有電圧出力を停止」するものとしているのに対して、引用発明では、そのような特定がされていない点で相違している。
　
（４）相違点に対する判断
相違点（イ）について
　引用発明では、検知出力が予備警報点検出力を超えたこと、及び所定出力を超えたことの表示を２つの異色のＬＥＤで行っているが、表示する状態が２種類のみであれば１つのＬＥＤの「点滅」と「点灯」のみで表示できることは自明の事項であるから、ＬＥＤの数及び色数の相違は、適宜設計し得る事項と認めざるを得ない。
　
相違点（ロ）について
　ガス警報装置においてガス濃度が異常となった旨の警報の開始及び停止と共に有電圧出力を開始及び停止することは、引用文献２に記載されている。
　そして、この引用文献２に記載された有電圧出力は、ガス警報器において、検出ガスの種類に対応した電圧を出力するものであり、ガス警報器においては、検出ガスの濃度のみに対応したＬＥＤやブザーに加えてガスの種類に対応した信号を得ようとすることが一般的課題と認められることから、引用発明においても、引用文献２に記載された有電圧出力を出力する構成を付加して相違点（ロ）に係る本件補正発明の構成とすることは当業者が容易になし得たことと認められる。
　
　また、本件補正発明の全体構成により奏される効果は、引用発明、及び引用文献２に記載された発明から予測し得る程度のものと認められる。
　したがって、本件補正発明は、引用発明、及び引用文献２に記載された発明に基づいて当業者が容易に発明をすることができたものと認められるので特許法第２９条第２項の規定により特許出願の際独立して特許を受けることができないものである。
　
（５）むすび
　以上のとおり、本件補正は、平成１８年改正前特許法第１７条の２第５項で準用する特許法第１２６条第５項の規定に違反するものであり、平成１８年改正前特許法第１５９条第１項で読み替えて準用する同法第５３条第１項の規定により却下されるべきものである。
　
３．本願発明について
　本件補正は上記のとおり却下されたので、本願の請求項１に係る発明（以下、同項記載の発明を「本願発明」という。）は、平成１８年１０月２日付手続補正書の特許請求の範囲の請求項１に記載された事項により特定される、以下のとおりのものである。
「ガスセンサで検出されたガス濃度が所定の１段目警報濃度または該１段目警報濃度より高く設定された２段目警報濃度以上となった際に、ガス濃度が異常となった旨の警報を報知するガス警報器において、
　通常動作モードと点検動作モードを切り換え制御する動作モード制御手段であって、ガス濃度の検出期間中所定のタイミングで前記ガスセンサでガス濃度を検出し、通常動作モード時には、検出されたガス濃度が２段目警報濃度以上となった際に、ガス濃度が異常となった旨の警報を報知すると共に、点検動作モード時には、検出されたガス濃度が２段目警報濃度以上となった際に、ガス濃度が異常となった旨の警報を開始すると共に有電圧出力を開始し、かつその後検出されたガス濃度が２段目警報濃度以下となった時に直ちに警報を停止すると共に有電圧出力を停止する動作モード制御手段を備えた
　ことを特徴とするガス警報器。」
　
（１）引用文献
　原査定の拒絶の理由に引用された引用文献及びその記載事項は、前記「２．（２）」に記載したとおりである。
　
（２）対比・判断
　本願発明は、上記したとおりであって、前記「２．」で検討した本件補正発明から「ガス警報器」について「ブザーおよびＬＥＤを含む警報手段を有する」ものであって「警報手段のブザーの警報音およびＬＥＤの点灯」で報知するとの限定、及び「点検動作モード時」の報知動作に関して「検出されたガス濃度が１段目警報濃度以上となった際に、ガス濃度が１段目警報濃度を超えて異常となった旨の警報をＬＥＤの点滅で開始し」、ガス濃度が２段目警報濃度以上となった際に、ガス濃度が「２段目警報濃度を超えて」異常となった旨の警報を「ブザーの警報音およびＬＥＤの点滅から点灯への切り替えで」開始し、その後、ガス濃度が２段目警報濃度以下となった時に「ブザーの警報音を停止しかつＬＥＤを消灯させることにより」警報を停止するものとの限定を省いたものである。
　そうすると、本願発明の構成要件を全て含み、さらに他の構成要件を付加したものに相当する本件補正発明が、前記「２．（４）」に記載したとおり、引用発明及び引用文献２に記載された発明に基づいて、当業者が容易に発明をすることができたものであるから、本願発明も、同様の理由により、引用発明及び引用文献２に記載された発明に基づいて、当業者が容易に発明をすることができたものである。
　
４．むすび
　以上のとおり、本願発明は、引用発明及び引用文献２に記載された発明に基づいて、当業者が容易に発明をすることができたものであるから、特許法第２９条第２項の規定により特許を受けることができない。
　よって、結論のとおり審決する。